(57)【要約】【課題】パイプに流入する排気ガスの流速を高くして還元剤の拡散を十分に行うことができる排気浄化装置を提供する。【解決手段】エンジンの排気流路を流れる排気ガスを浄化するための排気浄化装置であって、筒状の第一ケーシング２と、第一ケーシング２の下流側に配置され、第一ケーシング２の軸線方向に対して略垂直な方向に延びるように第一ケーシング２に内挿され、第一ケーシング２と連通される貫通孔１５が形成されたパイプ３と、パイプ３の上流側端部からパイプ３内に還元剤を噴射する噴射装置１３と、を備え、第一ケーシング２の排気流路１に、上流側から下流側に向けてパイプ３の軸線方向において狭くなる収縮流路部６が形成されている。【選択図】図３
2015117623.tif 000002
【特許請求の範囲】
【請求項１】
エンジンの排気流路を流れる排気ガスを浄化するための排気浄化装置であって、
筒状のケーシングと、
前記ケーシングの下流側に配置され、前記ケーシングの軸線方向に対して略垂直な方向に延びるように前記ケーシングに内挿され、前記ケーシングと連通される貫通孔が形成されたパイプと、
前記パイプの上流側端部から前記パイプ内に還元剤を噴射する噴射装置と、を備え、
前記ケーシングの前記排気流路に、上流側から下流側に向けて前記パイプの軸線方向において狭くなる収縮流路部が形成されている、
排気浄化装置。
【請求項２】
前記貫通孔は、前記パイプの前記ケーシングに内挿された部分の、前記パイプの軸線方向における一部に形成されており、
前記収縮流路部は、前記貫通孔に向けて狭くなっている、
請求項１に記載の排気浄化装置。
【請求項３】
前記収縮流路部は、前記ケーシングの内壁面により形成されている、
請求項１又は２に記載の排気浄化装置。
【請求項４】
前記収縮流路部の少なくとも一部は、前記ケーシングの内壁面に取り付けられた導風板により形成されている、
請求項１又は２に記載の排気浄化装置。
【請求項５】
前記パイプ内に旋回流を発生させるように排気ガスを前記貫通孔に案内する旋回用導風板を更に備える、
請求項１〜４の何れか一項に記載の排気浄化装置。
【発明の詳細な説明】
【技術分野】
【０００１】
本発明は、排気浄化装置に関する。
【背景技術】
【０００２】
従来、エンジンの排気流路を流れる排気ガスを浄化するための排気浄化装置として、例えば特許文献１に記載されたものが知られている。この特許文献１に記載された排気浄化装置は、ＤＯＣ（Diesel Oxidation Catalyst）及びＤＰＦ（DieselParticulate Filter）が収容された第一ケーシングと、排気ガス中に尿素水（還元剤）を噴射する噴射ノズル（噴射装置）を取り付けたパイプと、ＳＣＲ（Selective Catalytic Reduction）が収容される第二ケーシングと、を備え、パイプを、第一ケーシングの軸線方向に対して略垂直な方向に延びるように第一ケーシングに内挿するとともに、第二ケーシングに連結している。そして、尿素水の噴射によって生成されたアンモニアを利用して排気ガスのＮＯｘを還元し浄化している。
【先行技術文献】
【特許文献】
【０００３】
【特許文献１】特開２００９−２２８４８４号公報
【発明の概要】
【発明が解決しようとする課題】
【０００４】
ところで、還元剤の噴射量を増やすことで排気ガスの浄化効率を高くすることができるが、還元剤の噴射量を増やすと、ランニングコストが高くなるという問題がある。そこで、還元剤の噴射量を増やすことなく排気ガスの浄化効率を高くするために、パイプに噴射された還元剤の拡散効率を高くすることが考えられる。
【０００５】
パイプに噴射された還元剤の拡散効率を高くする手段の一つとして、パイプに流入する排気ガスの流速を高くすることが考えられる。しかしながら、特許文献１に記載された排気浄化装置では、第一ケーシングが上流側から下流側にかけて同一径となっているため、パイプに流入する排気ガスの流速を高くするには限界がある。
【０００６】
そこで、本発明の一側面は、上記実情に鑑みてなされたものであり、パイプに流入する排気ガスの流速を高くして還元剤の拡散を十分に行うことができる排気浄化装置を提供することを課題とする。
【課題を解決するための手段】
【０００７】
本発明の一側面に係る排気浄化装置は、エンジンの排気流路を流れる排気ガスを浄化するための排気浄化装置であって、筒状のケーシングと、ケーシングの下流側に配置され、ケーシングの軸線方向に対して略垂直な方向に延びるようにケーシングに内挿され、ケーシングと連通される貫通孔が形成されたパイプと、パイプの上流側端部からパイプ内に還元剤を噴射する噴射装置と、を備え、ケーシングの排気流路に、上流側から下流側に向けてパイプの軸線方向において狭くなる収縮流路部が形成されている。
【０００８】
本発明の一側面に係る排気浄化装置によれば、ケーシングを流れる排気ガスは、パイプの貫通孔からパイプの内部に流入する。このとき、排気流路は収縮流路部において狭められるため、ケーシングを流れる排気ガスは、上流側から下流側に向けて流れていくに従い、パイプの軸線方向において集約されて、流速が高くなっていく。これにより、パイプ内に流入する排気ガスの流速が高くなるため、パイプ内に噴射された還元剤の拡散効率を高くすることができる。これにより、還元剤の噴射量を増やすことなく排気ガスの浄化効率を高くすることができる。
【０００９】
一実施形態として、貫通孔は、パイプのケーシングに内挿された部分の、パイプの軸線方向における一部に形成されており、収縮流路部は、貫通孔に向けて狭くしてもよい。このように、貫通孔がパイプの軸線方向における一部に形成されている場合に、収縮流路部が貫通孔に向けて狭くなることで、排気ガスを円滑に貫通孔に案内することができる。これにより、排気ガスの圧力損失が小さくなるため、パイプ内に流入する排気ガスの流速を更に高くすることができる。
【００１０】
また、一実施形態として、収縮流路部は、ケーシングの内壁面により形成してもよい。このように、ケーシングの内壁面により収縮流路部を形成することで、収縮流路部が無い場合に比べて、ケーシングを小さくすることができる。これにより、配置の自由度が高まる。
【００１１】
また、一実施形態として、収縮流路部の少なくとも一部は、ケーシングの内壁面に取り付けられた導風板により形成してもよい。これにより、ケーシングの形状にかかわらず、導風板により収縮流路部を形成することができる。
【００１２】
また、一実施形態として、パイプ内に旋回流を発生させるように排気ガスを貫通孔に案内する旋回用導風板を更に備えてもよい。このように、旋回用導風板を備えることで、パイプ内に流入した排気ガスに旋回流を発生させることができる。しかも、収縮流路部による排気ガスの増速効果により、パイプ内においてより強い旋回流を発生させることができるため、パイプ内に噴射された還元剤の拡散効率を更に高くすることができる。
【発明の効果】
【００１３】
本発明の一側面によれば、パイプに流入する排気ガスの流速が高くなることで還元剤の拡散を十分に行うことが可能となる。
【図面の簡単な説明】
【００１４】
【図１】第１の実施形態に係る排気浄化装置の概略構成を示す図である。
【図２】図１に示す排気浄化装置の要部を示す、図１のＩＩ−ＩＩ線における概略断面図である。
【図３】図１に示す排気浄化装置の要部を示す、図２のＩＩＩ−ＩＩＩ線における概略断面図である。
【図４】第２の実施形態に係る排気浄化装置の要部を示す、図３に対応する概略断面図である。
【図５】第３の実施形態に係る排気浄化装置の要部を示す、図３に対応する概略断面図である。
【図６】第４の実施形態に係る排気浄化装置の要部を示す、図２に対応する概略断面図である。
【図７】変形例の排気浄化装置の要部を示す、図２に対応する概略断面図である。
【図８】変形例の排気浄化装置の要部を示す、図３に対応する概略断面図である。
【図９】変形例の排気浄化装置の要部を示す、図３に対応する概略断面図である。
【発明を実施するための形態】
【００１５】
以下、実施形態に係る排気浄化装置について、図面を参照して詳細に説明する。なお、以下の説明において同一又は相当要素には同一符号を付し、重複する説明を省略する。
【００１６】
［第１の実施形態］
図１は、第１の実施形態に係る排気浄化装置の概略構成を示す図である。図１に示すように、本実施形態の排気浄化装置１０は、例えばトラック等の車両においてディーゼルエンジン等のエンジンから排気される排気ガス（以下、単に「排気ガス」という）を浄化するものである。この排気浄化装置１０は、排気ガスが流通する排気流路１に搭載されており、ＤＯＣ１１、ＤＰＦ１２、噴射装置１３、及びＳＣＲ１４を備えている。
【００１７】
排気流路１は、第一ケーシング２、パイプ（壁部）３及び第二ケーシング４により少なくとも画成され、これらが上流側から下流側にこの順で配置されている。第一ケーシング２及び第二ケーシング４は、略筒状に形成されており、排気ガスの流れが互いに略平行になるように並置されている。パイプ３は、第一ケーシング２の下流側と第二ケーシング４の上流側とを連結する。このパイプ３は、第一ケーシング２の長手方向に対し略直交する方向に真っ直ぐ延びた後、第二ケーシング４の上流側へ曲がるように延びている。
【００１８】
ＤＯＣ１１は、排気ガス中の未燃燃料分を酸化処理するものであり、第一ケーシング２内の上流側に配設されている。ＤＰＦ１２は、ＤＯＣ１１を通過した排気ガス中のパティキュレート（粒子状物質）を捕集するものであり、第一ケーシング２内においてＤＯＣ１１の下流側に配設されている。
【００１９】
噴射装置１３は、ＤＰＦ１２を通過した直後の排気ガスに対し、還元剤を噴射して添加するものである。ここでの噴射装置１３は、尿素水を還元剤として噴射することにより、下式（１）に示す熱分解反応及び加水分解反応を生じさせ、アンモニアを生成する。
【００２０】
(NH2)2CO  →  NH3+HNCO  （熱分解反応）
HNCO+H2O  →  NH3+CO2  （加水分解反応）  …（１）
ＳＣＲ１４は、添加された還元剤を利用して排気ガス中のＮＯｘを選択的に還元反応させ、排気ガスを浄化するものである。このＳＣＲ１４は、第二ケーシング４内に配設されている。ここでのＳＣＲ１４は、生成したアンモニアを用いて下式（２）に示す還元反応を生じさせ、ＮＯｘを選択的に還元浄化する。なお、第二ケーシング４の後段には、余剰のアンモニアを酸化処理するアンモニア低減触媒（不図示）が設けられている。
【００２１】
4NO+4NH3+O2  →  4N2+6H2O  （Standard）
6NO2+8NH3  →  7N2+12H2O  （Slow）      …（２）
NO+NO2+2NH3  →  2N2+3H2O  （Fast）
次に、上述した排気浄化装置１０の要部について、図２及び図３を用いて詳細に説明する。図２は、図１に示す排気浄化装置の要部を示す、図１のＩＩ−ＩＩ線における概略断面図である。図３は、図１に示す排気浄化装置の要部を示す、図２のＩＩＩ−ＩＩＩ線における概略断面図である。なお、便宜上、図２の上側を右側といい、図２の下側を左側といい、図３の上側を上側といい、図３の下側を下側という。
【００２２】
図２及び図３に示すように、パイプ３は、その上流側が第一ケーシング２におけるＤＰＦ１２の下流側に内挿されている。第一ケーシング２に内挿されているパイプ３の上流側は、第一ケーシング２に対して排気ガスの流れが略直交するように、第一ケーシング２の軸線方向に対して略垂直な方向に延在している。また、パイプ３の上流側の開口端は、第一ケーシング２の壁面により閉塞されている。なお、第一ケーシング２の軸線方向とは、図２及び図３における左右方向である。
【００２３】
パイプ３の上流側端部には、当該パイプ３の上流側端部からパイプ３の軸線方向に沿って還元剤が噴射されるように上記噴射装置１３が取り付けられている。なお、パイプ３の軸線方向とは、図３における上下方向である。噴射装置１３は、パイプ３内に還元剤を噴射する。換言すると、パイプ３は、噴射装置１３から噴射される還元剤の噴射領域Ａを内包する。ここでの噴射装置１３は、そのノズル１３ａがパイプ３の中心軸上に位置されており、パイプ３の中心軸位置を基点に下流側に向かって還元剤を噴射する。
【００２４】
第一ケーシング２に内挿されているパイプ３の上流側には、排気ガスを内部に流入させる貫通孔１５が形成されている。貫通孔１５は、パイプ３の内外を貫通する矩形状の貫通孔である。
【００２５】
図２に示すように、貫通孔１５は、パイプ３の左側（図２における上側）に形成されている。そして、第一ケーシング２には、第一ケーシング２とパイプ３との間を覆って、貫通孔１５に排気ガスを案内する導風板１６ａ及び導風板１６ｂが取り付けられている。導風板１６ａは、第一ケーシング２の左側から流れてきた排気ガスをパイプ３の右側に案内する導風板である。導風板１６ｂは、パイプ３内に旋回流を発生させるようにパイプ３の右側に流れてきた排気ガスをパイプ３の接線方向から貫通孔１５に案内する旋回用導風板である。
【００２６】
図３に示すように、貫通孔１５は、パイプ３の第一ケーシング２に内挿された部分の、パイプ３の軸線方向における一部に形成されている。具体的に説明すると、貫通孔１５は、噴射装置１３から噴射される還元剤の噴射領域Ａとパイプ３の内壁面とが合わさる位置よりも上流側に形成されている。つまり、貫通孔１５は、パイプ３の第一ケーシング２に内挿された部分の、上流側にのみ形成されており、下流側には形成されていない。なお、噴射領域Ａは、噴射装置１３を頂点とした略円錐形状を有するシルエットである。この噴射領域Ａは、例えば、噴射装置１３から噴射する還元剤の噴射角等に基づいて幾何学的に求めることができる。
【００２７】
そして、第一ケーシング２の下流側部分である下流側端部５には、第一ケーシング２の排気流路１が上流側から下流側に向けてパイプ３の軸線方向において狭くなる収縮流路部６が形成されている。
【００２８】
下流側端部５は、第一ケーシング２における、ＤＰＦ１２とパイプ３との間の位置から下流側の部分である。第一ケーシング２の軸線方向における下流側端部５の上流側の位置は、ＤＰＦ１２とパイプ３との間の任意の位置とすることができ、例えば、排気ガスの圧力損失を低減する観点から、ＤＰＦ１２とパイプ３との中間地点よりもＤＰＦ１２側の位置とすることができる。下流側端部５は、第一ケーシング２の上側部分が円の弦に沿うように潰された変形筒状に形成されている。つまり、下流側端部５は、上側に開口を有する円弧状断面に形成された円弧壁部８と、円弧壁部８の上側の開口を塞ぐ弦状断面に形成された弦壁部９と、により形成されている。弦壁部９は、下流側に向かって下側（図３における下側）に傾斜しており、パイプ３の軸線方向における弦壁部９の下流端が、貫通孔１５の上端付近に位置している。貫通孔１５の上端付近とは、貫通孔１５よりも少し低い位置から貫通孔１５よりも少し高い位置までの範囲をいう。但し、弦壁部９の下流端は、必ずしも貫通孔１５の上端付近に位置する必要はない。なお、弦壁部９は、下流側に向かって直線状に延びるものであってもよく、曲線状に延びるものであってもよい。
【００２９】
収縮流路部６は、第一ケーシング２である下流側端部５の内壁面７により形成されている。このため、収縮流路部６は、ＤＰＦ１２とパイプ３との間の位置から下流側に形成されており、上流側から下流側に向けてパイプ３の軸線方向において狭くなっている。そして、弦壁部９が、下流側に向かって下側に傾斜するとともに、その下流端がパイプ３の軸線方向における貫通孔１５の上端付近に位置することで、収縮流路部６は、上流側から貫通孔１５に向けて狭くなっている。
【００３０】
以上のように構成された排気浄化装置１０では、図１に示すように、まず、第一ケーシング２内において、エンジンからの排気ガスがＤＯＣ１１により酸化処理された後、排気ガス中のパティキュレートがＤＰＦ１２により捕集される。そして、図２及び図３に示すように、排気ガスは、ＤＰＦ１２を通過した後、収縮流路部６に流れ込み、導風板１６ａ及び１６ｂによりガイドされて、貫通孔１５からパイプ３内に流入する。
【００３１】
詳しく説明すると、図２に示すように、第一ケーシング２の左側を流れる排気ガスは、導風板１６ａにより第一ケーシング２の右側に案内される。そして、第一ケーシング２の右側を流れる排気ガス及び導風板１６ａにより第一ケーシング２の右側に案内された排気ガスは、導風板１６ｂによりパイプ３の接線方向から貫通孔１５に案内される。これにより、貫通孔１５を通ってパイプ３内に流入した排気ガスは、噴射装置１３の噴射方向視において右回りに旋回する。
【００３２】
また、図３に示すように、収縮流路部６は、上流側から下流側に向けて、パイプ３の軸線方向において狭くなっている。このため、ＤＰＦ１２を通過した排気ガスは、収縮流路部６を流れる際に、パイプ３の軸線方向において集約されて、流速が高くなる。そして、収縮流路部６の通過により増速された排気ガスが、貫通孔１５からパイプ３内に流入する。これにより、パイプ３内では、貫通孔１５から流入した排気ガスの旋回速度が高くなる。
【００３３】
パイプ３内では、排気ガスの旋回流中に還元剤が噴射装置１３から噴射されて添加され、熱分解反応及び加水分解反応によりアンモニアが生成される。その後、アンモニアを含む排気ガスは、図１に示すように、第二ケーシング４へ流入され、排気ガス中のＮＯｘがＳＣＲ１４により選択的に還元されて浄化される。そして、後段のアンモニア低減触媒へと供給される。
【００３４】
以上、本実施形態によれば、第一ケーシング２を流れる排気ガスは、パイプ３の貫通孔１５からパイプ３の内部に流入する。このとき、排気流路１は収縮流路部６において狭められるため、第一ケーシング２を流れる排気ガスは、上流側から下流側に向けて流れていくに従い、パイプ３の軸線方向において集約されて、流速が高くなっていく。これにより、パイプ３内に流入する排気ガスの流速が高くなるため、パイプ３内に噴射された還元剤の拡散効率を高くすることができる。これにより、還元剤の噴射量を増やすことなく排気ガスの浄化効率を高くすることができる。
【００３５】
また、貫通孔１５がパイプ３の軸線方向における一部に形成されていることから、収縮流路部６が貫通孔１５に向けて狭くなることで、排気ガスを円滑に貫通孔１５に案内することができる。これにより、排気ガスの圧力損失が小さくなるため、パイプ３内に流入する排気ガスの流速を更に高くすることができる。
【００３６】
また、第一ケーシング２の内壁面７により収縮流路部６を形成することで、収縮流路部６が無い場合に比べて、第一ケーシング２を小さくすることができる。これにより、配置の自由度が高まる。
【００３７】
また、導風板１６ａを備えることで、パイプ３内に流入した排気ガスに旋回流を発生させることができる。しかも、収縮流路部６による排気ガスの増速効果により、パイプ３内においてより強い旋回流を発生させることができるため、パイプ３内に噴射された還元剤の拡散効率を更に高くすることができる。
【００３８】
［第２の実施形態］
次に、第２の実施形態について説明する。第２の実施形態は、基本的に第１の実施形態と同様であり、第一ケーシング及びパイプの形状のみ第１の実施形態と相違する。このため、以下の説明では、第１の実施形態と相違する事項のみを説明し、第１の実施形態と同様の説明を省略する。
【００３９】
図４は第２の実施形態に係る排気浄化装置の要部を示す、図３に対応する概略断面図である。図４に示すように、第２の実施形態に係る排気浄化装置１０ａは、第一ケーシング２の代わりに第一ケーシング２ａを備えており、パイプ３の代わりにパイプ３ａを備えている。
【００４０】
パイプ３ａは、基本的に第１の実施形態のパイプ３と同様であり、第１の実施形態の貫通孔１５に対応する貫通孔１５ａが形成されている。
【００４１】
貫通孔１５ａは、パイプ３ａの第一ケーシング２ａに内挿された部分の、パイプ３ａの軸線方向における一部に形成されている。具体的に説明すると、貫通孔１５ａは、パイプ３ａの軸線方向において、第一ケーシング２ａの中央部分にのみ形成されており、第一ケーシング２ａの下側部分と上側部分とには形成されていない。
【００４２】
第一ケーシング２ａは、基本的に第１の実施形態の第一ケーシング２と同様である。しかしながら、第一ケーシング２ａには、第１の実施形態の下流側端部５の代わりに、下流側端部５ａが形成されている。また、下流側端部５ａには、第一ケーシング２ａの排気流路１が上流側から下流側に向けてパイプ３ａの軸線方向において狭くなる収縮流路部６ａが形成されている。
【００４３】
下流側端部５ａは、第一ケーシング２ａにおける、ＤＰＦ１２とパイプ３ａの間の位置から下流側の部分である。第一ケーシング２ａの軸線方向における下流側端部５ａの上流側の先端は、ＤＰＦ１２とパイプ３ａとの間の任意の位置とすることができ、例えば、排気ガスの圧力損失を低減する観点から、ＤＰＦ１２とパイプ３ａとの中間地点よりもＤＰＦ１２側の位置とすることができる。下流側端部５ａは、第一ケーシング２ａの上側部分と下側部分とが円の弦に沿うように潰された変形筒状に形成されている。つまり、下流側端部５ａは、上側と下側とに開口を有する一対の円弧状断面に形成された円弧壁部（不図示）と、円弧壁部の上側の開口を塞ぐ弦状断面に形成された下側弦壁部８ａと、円弧壁部の下側の開口を塞ぐ弦状断面に形成された上側弦壁部９ａと、により形成されている。下側弦壁部８ａは、下流側に向かって上側（図４における上側）に傾斜しており、パイプ３ａの軸線方向における下側弦壁部８ａの下流端が、貫通孔１５ａの下端付近に位置している。上側弦壁部９ａは、下流側に向かって下側（図４における下側）に傾斜しており、パイプ３ａの軸線方向における上側弦壁部９ａの下流端が、貫通孔１５ａの上端付近に位置している。但し、下側弦壁部８ａ及び上側弦壁部９ａの下流端は、必ずしも貫通孔１５ａの下端付近及び上端付近に位置する必要はない。なお、下側弦壁部８ａ及び上側弦壁部９ａは、下流側に向かって直線状に延びるものであってもよく、曲線状に延びるものであってもよい。
【００４４】
収縮流路部６ａは、第一ケーシング２ａである下流側端部５ａの内壁面７ａにより形成されている。このため、収縮流路部６ａは、ＤＰＦ１２とパイプ３ａの間の位置から下流側に形成されており、上流側から下流側に向けてパイプ３ａの軸線方向において狭くなっている。そして、下側弦壁部８ａが、下流側に向かって上側に傾斜するとともに、その下流端がパイプ３ａの軸線方向における貫通孔１５ａの下端付近に位置し、また、上側弦壁部９ａが、下流側に向かって下側に傾斜するとともに、その下流端がパイプ３ａの軸線方向における貫通孔１５ａの上端付近に位置することで、収縮流路部６ａは、上流側から貫通孔１５ａに向けて狭くなっている。
【００４５】
このように、貫通孔１５ａが、パイプ３ａの軸線方向において、第一ケーシング２ａの中央部分にのみ形成されていても、上流側から下流側に向けてパイプ３ａの軸線方向において狭くなる収縮流路部６ａが形成され、また、収縮流路部６ａが貫通孔１５ａに向けて狭くなることで、第１の実施形態と同様の作用効果を奏する。
【００４６】
［第３の実施形態］
次に、第３の実施形態について説明する。第３の実施形態は、基本的に第１の実施形態と同様であり、第一ケーシング及びパイプの形状のみ第１の実施形態と相違する。このため、以下の説明では、第１の実施形態と相違する事項のみを説明し、第１の実施形態と同様の説明を省略する。
【００４７】
図５は第３の実施形態に係る排気浄化装置の要部を示す、図３に対応する概略断面図である。図５に示すように、第３の実施形態に係る排気浄化装置１０ｂは、第一ケーシング２の代わりに第一ケーシング２ｂを備えており、パイプ３の代わりにパイプ３ｂを備えている。
【００４８】
パイプ３ｂは、基本的に第１の実施形態のパイプ３と同様であり、第１の実施形態の貫通孔１５に対応する貫通孔１５ｂが形成されている。
【００４９】
貫通孔１５ｂは、パイプ３ｂの第一ケーシング２ｂに内挿された部分の、パイプ３ｂの軸線方向における一部に形成されている。具体的に説明すると、貫通孔１５ｂは、パイプ３ｂの軸線方向において、第一ケーシング２ｂの上側部分にのみ形成されており、第一ケーシング２ｂの下側部分には形成されていない。
【００５０】
第一ケーシング２ｂは、基本的に第１の実施形態の第一ケーシング２と同様である。しかしながら、第一ケーシング２ｂには、第１の実施形態の下流側端部５の代わりに、下流側端部５ｂが形成されている。また、下流側端部５ｂには、第一ケーシング２ｂの排気流路１が上流側から下流側に向けてパイプ３ｂの軸線方向において狭くなる収縮流路部６ｂが形成されている。
【００５１】
下流側端部５ｂは、第一ケーシング２ｂにおける、ＤＰＦ１２とパイプ３ｂの間の位置から下流側の部分である。第一ケーシング２ｂの軸線方向における下流側端部５ｂの上流側の先端は、ＤＰＦ１２とパイプ３ｂとの間の任意の位置とすることができ、例えば、排気ガスの圧力損失を低減する観点から、ＤＰＦ１２とパイプ３ｂとの中間地点よりもＤＰＦ１２側の位置とすることができる。下流側端部５ｂは、第一ケーシング２ｂの下側部分が円の弦に沿うように潰された変形筒状に形成されている。つまり、下流側端部５ｂは、下側に開口を有する円弧状断面に形成された円弧壁部８ｂと、円弧壁部８ｂの下側の開口を塞ぐ弦状断面に形成された下側弦壁部９ｂと、により形成されている。下側弦壁部９ｂは、下流側に向かって上側（図５における上側）に傾斜しており、パイプ３ｂの軸線方向における下側弦壁部９ｂの下流端が、貫通孔１５ｂの下端付近に位置している。但し、下側弦壁部９ｂの下流端は、必ずしも貫通孔１５ｂの下端付近に位置する必要はない。なお、下側弦壁部９ｂは、下流側に向かって直線状に延びるものであってもよく、曲線状に延びるものであってもよい。
【００５２】
収縮流路部６ｂは、第一ケーシング２ｂである下流側端部５ｂの内壁面７ｂにより形成されている。このため、収縮流路部６ｂは、ＤＰＦ１２とパイプ３ｂの間の位置から下流側に形成されており、上流側から下流側に向けてパイプ３ｂの軸線方向において狭くなっている。そして、下側弦壁部９ｂが、下流側に向かって上側に傾斜するとともに、その下流端がパイプ３ｂの軸線方向における貫通孔１５ｂの下端付近に位置することで、収縮流路部６ｂは、上流側から貫通孔１５ｂに向けて狭くなっている。
【００５３】
このように、貫通孔１５ｂが、パイプ３ｂの軸線方向において、第一ケーシング２ｂの上側部分にのみ形成されていても、上流側から下流側に向けてパイプ３ｂの軸線方向において狭くなる収縮流路部６ｂが形成され、また、収縮流路部６ｂが貫通孔１５ｂに向けて狭くなることで、第１の実施形態と同様の作用効果を奏する。
【００５４】
［第４の実施形態］
次に、第４の実施形態について説明する。第４の実施形態は、基本的に第１の実施形態と同様であり、第一ケーシングのみ第１の実施形態と相違する。このため、以下の説明では、第１の実施形態と相違する事項のみを説明し、第１の実施形態と同様の説明を省略する。
【００５５】
図６は第４の実施形態に係る排気浄化装置の要部を示す、図３に対応する概略断面図である。図６に示すように、第４の実施形態に係る排気浄化装置１０ｃは、第一ケーシング２の代わりに第一ケーシング２ｃを備えている。
【００５６】
第一ケーシング２ｃは、基本的に第１の実施形態の第一ケーシング２と同様である。しかしながら、第一ケーシング２ｃには、第１の実施形態の下流側端部５が形成されずに、第一ケーシング２ｃの内部に、導風板２０が取り付けられている。
【００５７】
導風板２０は、第一ケーシング２ｃの内部に、第一ケーシング２ａの排気流路１が上流側から下流側に向けてパイプ３ａの軸線方向において狭くなる収縮流路部６ｃを形成するものである。
【００５８】
導風板２０は、第一ケーシング２ｃの内壁面７ｃに取り付けられている。導風板２０は、第一ケーシング２ｃの内部空間を上下に仕切っており、ＤＰＦ１２とパイプ３ａの間の位置から下流側に向かって下方に傾斜している。第一ケーシング２ｃの軸線方向における導風板２０の傾斜部分２０ａの上流側の先端は、ＤＰＦ１２とパイプ３との間の任意の位置とすることができ、例えば、排気ガスの圧力損失を低減する観点から、ＤＰＦ１２とパイプ３との中間地点よりもＤＰＦ１２側の位置とすることができる。パイプ３の軸線方向における導風板２０の傾斜部分２０ａの下流側の先端は、貫通孔１５の上端付近に位置している。但し、導風板２０の傾斜部分２０ａの下流端の位置は、必ずしも貫通孔１５の上端付近に位置する必要はない。
【００５９】
収縮流路部６ｃは、第一ケーシング２ｃの内壁面７ｃと導風板２０とにより形成されている。このため、収縮流路部６ｃは、ＤＰＦ１２とパイプ３の間の位置から下流側に形成されており、上流側から下流側に向けてパイプ３の軸線方向において狭くなっている。そして、導風板２０が、下流側に向かって下側に傾斜するとともに、その下流端がパイプ３の軸線方向における貫通孔１５の上端付近に位置することで、収縮流路部６ｃは、上流側から貫通孔１５に向けて狭くなっている。
【００６０】
このように、収縮流路部６ｃの一部を導風板２０により形成しても、収縮流路部６ｃを第１の実施形態の収縮流路部６と同形状とすることができる。このため、第３の実施形態でも、上流側から下流側に向けてパイプ３の軸線方向において狭くなる収縮流路部６ｃが形成され、また、収縮流路部６ｃが貫通孔１５に向けて狭くなることで、第１の実施形態と同様の作用効果を奏する。
【００６１】
しかも、第一ケーシング２ｃの形状にかかわらず、導風板２０により収縮流路部６ｃを形成することができる。
【００６２】
以上、本発明の好適な実施形態について説明したが、本発明は、上記実施形態に限られるものではなく、各請求項に記載した要旨を変更しない範囲で変形し、又は他のものに適用してもよい。
【００６３】
例えば、上記実施形態では、パイプ内に旋回流を発生させるように排気ガスを貫通孔に案内する旋回用導風板を設けるものとして説明したが、図７に示す排気浄化装置１０ｄのように、旋回用導風板を設けなくてもよい。図７に示す排気浄化装置１０ｄは、旋回用導風板が設けられていないが、収縮流路部６により排気ガスの流速が高くなるため、パイプ３と第一ケーシング２との間の隙間に排気ガスが流れて行っても、貫通孔１５からパイプ３内部に流入する排気ガスの流速が高くなる。
【００６４】
また、上記実施形態では、パイプの貫通孔が一つのみであるものとして説明したが、パイプには２以上の貫通孔が形成されていてもよい。例えば、図８に示す排気浄化装置１０ｅは、パイプ３ｅに、貫通孔１５ｄと貫通孔１５ｅの二つの貫通孔が形成されている。この場合、例えば、貫通孔１５ｄに排気ガスを誘導する導風板１６ｃと、貫通孔１５ｅに排気ガスを誘導する導風板１６ｄ及び導風板１６ｅと、の三つの導風板を設けることができる。また、例えば、図９に示す排気浄化装置１０ｆは、第１の実施形態の貫通孔１５の位置に、複数の小さい貫通孔１５ｆが形成されている。これらの貫通孔１５ｆは、例えば、パイプ３ｆをパンチング加工することにより形成することができる。
【００６５】
また、第４の実施形態では、収縮流路部が第一ケーシングの内壁面と導風板とにより形成されるものとして説明したが、収縮流路部が第一ケーシングの内壁面に取り付けられた導風板のみによって形成されてもよい。
【００６６】
また、上記実施形態は、それぞれ互いに組み合わせることができる。例えば、第４の実施形態において、導風板２０を、第２の実施形態の下側弦壁部８ａ及び上側弦壁部９ａの位置に配置してもよく、第３の実施形態の下側弦壁部９ｂの位置に配置してもよい。
【００６７】
また、上記実施形態では、車両としてトラックを例示しているが、例えばバス、トラクタ又はその他の車両でもよい。なお、上記において、「略」の語は、製造上や設計上の誤差を許容するものである。
【符号の説明】
【００６８】
１…排気流路、２（２ａ，２ｂ，２ｃ）…第一ケーシング、３（３ａ，３ｂ，３ｅ，３ｆ）…パイプ、４…第二ケーシング、５（５ａ，５ｂ）…下流側端部、６（６ａ，６ｂ，６ｃ）…収縮流路部、７（７ａ，７ｂ，７ｃ）…内壁面、８…円弧壁部、８ａ…下側弦壁部、８ｂ…円弧壁部、９…弦壁部、９ａ…上側弦壁部、９ｂ…下側弦壁部、１０（１０ａ，１０ｂ，１０ｃ，１０ｄ，１０ｅ，１０ｆ）…排気浄化装置、１１…ＳＣＲ、１２…ＤＰＦ、１３…噴射装置、１３ａ…ノズル、１４…ＳＣＲ、１５（１５ａ，１５ｂ，１５ｄ，１５ｅ１５ｆ）…貫通孔、１６ａ，１６ｃ，１６ｄ，１６ｅ…導風板（旋回用導風板）、１６ｂ…導風板、２０…導風板、２０ａ…傾斜部分、Ａ…噴射領域。
【図１】
2015117623.tif 000003
【図２】
2015117623.tif 000004
【図３】
2015117623.tif 000005
【図４】
2015117623.tif 000006
【図５】
2015117623.tif 000007
【図６】
2015117623.tif 000008
【図７】
2015117623.tif 000009
【図８】
2015117623.tif 000010
【図９】
2015117623.tif 000011